(57)【要約】【課題】適切な装着位置を把握しやすく、位置ずれや尿漏れを生じにくい、薄型で幅広な男性用吸収性物品を提供する【解決手段】腹側部Ａから股部Ｂにかけて、幅方向の寸法が漸減する略凧型形状を有し、二本の折り線により３つ折りにされて個別包装される男性用吸収性物品１であって、液透過性のトップシート２と、液不透過性のバックシート５と、トップシート２及びバックシート５の間に配置された吸収体４とを有し、男性用吸収性物品１の、幅方向の最大寸法が１３０ｍｍ以上２００ｍｍ以下、長手方向の最大寸法が２１０ｍｍ以上２９０ｍｍ以下、厚みが２．５ｍｍ以上９．０ｍｍ以下であり、トップシート２の身体側の幅方向両端部において、長手方向に沿って、立体ギャザー７を有し、二本の立体ギャザー７の身体側端部の間に、トップシート２から吸収体４にかけて、複数のチャネルエンボスを有する、男性用吸収性物品を提供する。【選択図】図１
2019063118.tif 000002
【特許請求の範囲】
【請求項１】
腹側部と股部とを有し、腹側部から股部にかけて、幅方向の寸法が漸減する略凧型形状を有し、二本の折り線により３つ折りにされて個別包装される男性用吸収性物品であって、
液透過性のトップシートと、液不透過性のバックシートと、トップシート及びバックシートの間に配置された吸収体とを有し、
男性用吸収性物品の、幅方向の最大寸法が１３０ｍｍ以上２００ｍｍ以下、長手方向の最大寸法が２１０ｍｍ以上２９０ｍｍ以下、厚みが２．５ｍｍ以上９．０ｍｍ以下であり、
前記トップシートの身体側の幅方向両端部において、長手方向に沿って、立体ギャザーを有し、
二本の前記立体ギャザーの身体側端部の間に、トップシートから吸収体にかけて、複数のチャネルエンボスを有する、男性用吸収性物品。
【請求項２】
複数のチャネルエンボスは、腹側部端部近傍に位置する第一のチャネルエンボスと、男性用吸収性物品の長手方向中心線近傍であって、かつ、腹側部に位置する第二のチャネルエンボスと、股部に位置する第三のチャネルンエンボスと、に区分して形成され、
前記第一のチャネルエンボスは、腹側部端部の外側に向けて凸となる略円弧形状であり、
前記第二のチャネルエンボスは、幅方向中心線を境に略線対称となるチャネルエンボスから構成され、幅方向端部の外側に向けて凸となる、略円弧形状であり、
前記第三のチャネルエンボスは、長手方向中心線の近傍から股部側端部に向けて形成される略Ｕ字形状のチャネルエンボスと、当該略Ｕ字形状のチャネルエンボスの内方の股部側端部方向に位置し、股部側端部の外側に凸となる略円弧形状のチャネルエンボスと、を有し、
前記略Ｕ字形状のチャネルエンボスの幅方向両端部が、幅方向の端部に向けて凹となるように略円弧状に形成され、かつ、当該略円弧状部分の曲率半径が、前記第一のチャネルエンボス及び前記第二のチャネルエンボスの曲率半径よりも大きく、
各チャネルエンボスの太さが、１．０ｍｍ以上３．０ｍｍ以下である、請求項１に記載の男性用吸収性物品。
【請求項３】
前記第一のチャネルエンボス及び／又は前記第二のチャネルエンボスは、略同一形状の１以上３以下のチャネルエンボスがそれぞれ同心円上に隣接して構成され、隣接するチャネルエンボスの間隔が１０ｍｍ以上４０ｍｍ以下である、請求項２に記載の男性用吸収性物品。
【請求項４】
複数の前記チャネルエンボスは、幅方向略中央部に設けられ、
前記第二のチャネルエンボス同士の幅方向の最大離間距離が、男性用吸収性物品の幅方向の最大寸法に対して、１５％以上５０％以下であり、
複数の前記チャネルエンボス同士の長手方向の最大離間距離が、男性用吸収性物品の長手方向の最大寸法に対して、５０％以上７０％以下である、請求項２又は３に記載の男性用吸収性物品。
【請求項５】
二本の前記立体ギャザーの身体側端部の間隔が２５ｍｍ以上９０ｍｍ以下である、請求項１から４のいずれかに記載の男性用吸収性物品。
【請求項６】
股部側端部から腹側部端部に向けて、
長手方向の総寸法の５０％の位置における、吸収体の幅方向の寸法が１０ｃｍ以上１１ｃｍ以下、
長手方向の総寸法の２５％の位置における、吸収体の幅方向の寸法が８ｃｍ以上９ｃｍ以下、
長手方向の総寸法の１０％の位置における、吸収体の幅方向の寸法が６ｃｍ以上７ｃｍ以下である、請求項１から５のいずれかに記載の男性用吸収性物品。
【発明の詳細な説明】
【技術分野】
【０００１】
本発明は、適切な装着位置を把握しやすく、位置ずれや尿漏れを生じにくい、薄型で幅広な男性用吸収性物品に関する。
【背景技術】
【０００２】
近年、高齢化の進行に伴い、尿失禁に悩む中高年者が増加している。一般に、女性中高年者の場合、出産に伴う骨盤底筋の障害に伴って、咳やくしゃみをしたときや、重いものを持ったときに尿失禁を起こす腹圧性尿失禁が一般的である。一方、男性の場合においても、加齢に伴う前立腺肥大症の発症により、尿失禁を起こす場合がある。このような尿失禁をきたした場合、たとえ少量の尿失禁であっても下着で吸収しきれないことも多く、ズボンや下着へのシミになったり、においが生じたりすることから、その対策として、尿吸収パッドのような吸収性物品を装着することが勧められている。
【０００３】
尿失禁用の吸収性物品は、生理用ナプキン等の吸収性物品と同形状の、略長方形かつ平面状のものが多い（例えば、特許文献１参照）。しかしながら、男性中高年者の場合、略長方形状かつ平面状の吸収性物品は、局部へのフィット感が得られにくいため、尿失禁が生じた際に、横漏れが起こりやすい、という問題があった。このため、男女間における局部の構造上の相違点を踏まえた吸収性物品も開発されており、男性用の、尿失禁用の吸収性物品も多く市販されている。
【０００４】
しかしながら、男性は生理用品を日常的に使用する女性と異なり、吸収性物品を下着に装着することに不慣れであることが多く、その結果、吸収性物品が不適切な位置に装着されることにより尿漏れが生じるという問題があった。そのため、これまでに、適切に装着できる吸収性物品に関する検討がなされてきた。
【０００５】
このような観点で検討された吸収性物品として、例えば、特許文献２には、トップシートとバックシートとの間に吸収体が介在されるとともに、トップシートの面側に略長手方向に沿う左右一対のエンボスが施された吸収性物品において、エンボスは、装着者の排尿口部に対応する領域の両側に形成される排尿口対応エンボスと、排尿口対応エンボスの前側及び後側に形成される前側エンボス及び後側エンボスとから構成され、排尿口対応エンボスは、吸収性物品の幅方向外側に膨出する形状で形成されるとともに、左右のエンボス同士の離間幅が最大となる最大エンボス離間幅が前側エンボス及び後側エンボスの各最大エンボス離間幅以上に形成され、前側エンボス及び後側エンボスはそれぞれ、少なくとも排尿口対応エンボスに近接する部分が、吸収性物品の幅方向外側に曲率中心を有するとともに排尿口対応エンボスの長手寸法以上の曲率半径を有する曲線状又は直線状に形成されていることを特徴とする吸収性物品、が開示されている。さらに、当該吸収性物品によれば、排尿口対応エンボスで囲まれた部分を的として排尿口部に当接させるようにして装着することによって、吸収性物品が身体の適正な位置に容易に装着できるようになり、その結果、漏れの発生や装着感の悪化が防止できると記載されている。
【０００６】
また、例えば、特許文献３には、透液性のトップシートと、バックシートと、トップシートとバックシートの間に介在される吸収体と、吸収体の長手方向両側縁近傍において長手方向に沿ってバックシートを覆うように配置された立体ギャザーと、から成り、バックシートの巻き込み部には長手方向の位置合わせ用目印が形成されていることを特徴とする吸収性物品が開示されている。さらに、紙おむつ等のアウターの長手方向の適正な位置に当該吸収性物品を迅速かつ確実に装着可能となる旨が記載されている。
【先行技術文献】
【特許文献】
【０００７】
【特許文献１】特開２００９−１４８４４１号公報
【特許文献２】特開２０１３−１７６５０９号公報
【特許文献３】特開２００５−２８７７９１号公報
【発明の概要】
【発明が解決しようとする課題】
【０００８】
しかしながら、特許文献１に開示されている吸収性物品は、当該吸収性物品の中央部のエンボス幅が上下のエンボス幅より広く設けられることで装着時の幅方向圧縮変形を抑制し漏れを抑制するものであるが、略長方形の製品形状である。そのため、女性用の軽失禁パッドを前提としており、男性用の吸収性物品としては、装着時の漏れを防止する効果に問題を生じる。また、特許文献２及び特許文献３に記載の吸収性物品も、特許文献１と同様に、男性用の吸収性物品に適した形状、装着目安位置を提供するものではなかった。したがって、本発明は、以上の課題に鑑みてなされたものであり、適切な装着位置を把握しやすく、位置ずれや尿漏れを生じにくい、薄型で幅広な男性用吸収性物品を提供することを目的とする。
【課題を解決するための手段】
【０００９】
本発明の発明者らは、上記課題に鑑み、鋭意研究を行った。その結果、薄型で略凧型形状の吸収性物品であって、二本の立体ギャザーの身体側端部の間に、トップシートから吸収体にかけて、複数のチャネルエンボスを有する男性用吸収性物品によれば、上記課題を解決できることを見出し、本発明を完成するに至った。具体的には、本発明は、以下のものを提供する。
【００１０】
（１）本発明の第１の態様は、腹側部と股部とを有し、腹側部から股部にかけて、幅方向の寸法が漸減する略凧型形状を有し、二本の折り線により３つ折りにされて個別包装される男性用吸収性物品であって、液透過性のトップシートと、液不透過性のバックシートと、トップシート及びバックシートの間に配置された吸収体とを有し、男性用吸収性物品の、幅方向の最大寸法が１３０ｍｍ以上２００ｍｍ以下、長手方向の最大寸法が２１０ｍｍ以上２９０ｍｍ以下、厚みが２．５ｍｍ以上９．０ｍｍ以下であり、前記トップシートの身体側の幅方向両端部において、長手方向に沿って、立体ギャザーを有し、二本の前記立体ギャザーの身体側端部の間に、トップシートから吸収体にかけて、複数のチャネルエンボスを有する、男性用吸収性物品。
【００１１】
（２）本発明の第２の態様は、（１）に記載の男性用吸収性物品であって、複数のチャネルエンボスは、腹側部端部近傍に位置する第一のチャネルエンボスと、男性用吸収性物品の長手方向中心線近傍であって、かつ、腹側部に位置する第二のチャネルエンボスと、股部に位置する第三のチャネルンエンボスと、に区分して形成され、前記第一のチャネルエンボスは、腹側部端部の外側に向けて凸となる略円弧形状であり、前記第二のチャネルエンボスは、幅方向中心線を境に略線対称となるチャネルエンボスから構成され、幅方向端部の外側に向けて凸となる、略円弧形状であり、前記第三のチャネルエンボスは、長手方向中心線の近傍から股部側端部に向けて形成される略Ｕ字形状のチャネルエンボスと、当該略Ｕ字形状のチャネルエンボスの内方の股部側端部方向に位置し、股部側端部の外側に凸となる略円弧形状のチャネルエンボスと、を有し、前記略Ｕ字形状のチャネルエンボスの幅方向両端部が、幅方向の端部に向けて凹となるように略円弧状に形成され、かつ、当該略円弧状部分の曲率半径が、前記第一のチャネルエンボス及び前記第二のチャネルエンボスの曲率半径よりも大きく、各チャネルエンボスの太さが、１．０ｍｍ以上３．０ｍｍ以下であることを特徴とするものである。
【００１２】
（３）本発明の第３の態様は、（２）に記載の男性用吸収性物品であって、前記第一のチャネルエンボス及び／又は前記第二のチャネルエンボスは、略同一形状の１以上３以下のチャネルエンボスがそれぞれ同心円上に隣接して構成され、隣接するチャネルエンボスの間隔が１０ｍｍ以上４０ｍｍ以下であることを特徴とするものである。
【００１３】
（４）本発明の第４の態様は、（２）又は（３）に記載の男性用吸収性物品であって、複数の前記チャネルエンボスは、幅方向略中央部に設けられ、前記第二のチャネルエンボス同士の幅方向の最大離間距離が、男性用吸収性物品の幅方向の最大寸法に対して、１５％以上５０％以下であり、複数の前記チャネルエンボス同士の長手方向の最大離間距離が、男性用吸収性物品の長手方向の最大寸法に対して、５０％以上７０％以下であることを特徴とするものである。
【００１４】
（５）本発明の第５の態様は、（１）から（４）のいずれかに記載の男性用吸収性物品であって、二本の前記立体ギャザーの身体側端部の間隔が２５ｍｍ以上９０ｍｍ以下であることを特徴とするものである。
【００１５】
（６）本発明の第６の態様は、（１）から（５）のいずれかに記載の男性用吸収性物品であって、股部側端部から腹側部端部に向けて、長手方向の総寸法の５０％の位置における、吸収体の幅方向の寸法が１０ｃｍ以上１１ｃｍ以下、長手方向の総寸法の２５％の位置における、吸収体の幅方向の寸法が８ｃｍ以上９ｃｍ以下、長手方向の総寸法の１０％の位置における、吸収体の幅方向の寸法が６ｃｍ以上７ｃｍ以下であることを特徴とするものである。
【発明の効果】
【００１６】
本発明の男性用吸収性物品は、薄型のものであり、幅方向の最大寸法が大きく、幅広のものであるため、身体の運動に伴って、尿漏れ等が生じることもない。さらに、本発明の男性用吸収性物品は、トップシートの身体側の幅方向両端部において、長手方向に沿って、立体ギャザーを有し、二本の前記立体ギャザーの身体側端部の間に複数のチャネルエンボスを有するため、吸収性物品を下着に装着することに不慣れな男性であっても、適切な装着位置を把握しやすく、位置ずれや尿漏れを生じにくい。よって、本発明によれば、適切な装着位置を把握しやすく、位置ずれや尿漏れを生じにくい、薄型で幅広な男性用吸収性物品を提供することができる。
【図面の簡単な説明】
【００１７】
【図１】本発明の男性用吸収性物品の平面図である。
【図２】図１のＸ１−Ｘ１線における本発明の男性用吸収性物品の断面図である。
【発明を実施するための形態】
【００１８】
以下、本発明の男性用吸収性物品１について、図面を参照して詳細に説明する。なお、本発明の実施形態の説明の全体を通して、同じ要素には同じ番号又は符号を付している。
【００１９】
＜男性用吸収性物品＞
図１は、本発明の男性用吸収性物品１の表面図であり、図２は、図１のＸ１−Ｘ１線における本発明の男性用吸収性物品１の断面図である。男性用吸収性物品１は、図１に示すように、腹側部Ａと股部Ｂとを有し、身体側表面に配置された液透過性のトップシート２と、トップシート２に対向し、衣類側表面に配置された液不透過性のバックシート５、トップシート２及びバックシート５の間に配置された吸収体４と、を備え、これにより、吸収体４は、トップシート２とバックシート５との間に挟まれた構造となっている。また、本明細書の説明において、男性用吸収性物品１の長手方向とは、男性用吸収性物品１が装着されたときに装着者の臍から股部に亘る方向であり、図中、符号Ｙで示す方向である。また、男性用吸収性物品１の幅方向とは、長手方向に対して横又は直交する方向であり、図中、符号Ｘで示す方向である。また、男性用吸収性物品１の身体側表面とは、装着時に装着者の肌に当接する表面を指し、衣類側表面とは、装着時に装着者の衣類に接触する表面を指す。
【００２０】
［男性用吸収性物品の形状及び寸法］
本発明の男性用吸収性物品１の形状は、腹側部Ａから股部Ｂにかけて、幅方向の寸法が漸減する略凧型形状を有するものである。男性用吸収性物品１が、このような略凧型形状を有することにより、男性用吸収性物品１が、男性の局部を効果的に包み込むことができるとともに、身体の運動に伴って、排尿位置が移動したとしても、腹側部Ａで尿を効果的に受け止めることができる。
【００２１】
また、本発明の男性用吸収性物品１は腹側部Ａに位置する腹側部端部１１を含む辺が、外側に凸となるように弧を描き、幅方向両端部から股部Ｂに至る辺が、内側に凸となるように弧を描くことが好ましい。特に、幅方向両端部から股部Ｂに至る辺が、内側に凸となるように弧を描いていることにより、男性用吸収性物品１が両脚の内側と接触せず、通常の装着時においても、万が一位置ずれが生じたときにおいても、装着時の圧迫感が生じることを効果的に回避することができる。
【００２２】
本発明の男性用吸収性物品１の寸法は、幅方向の最大寸法が、１３０ｍｍ以上２００ｍｍ以下であり、長手方向の最大寸法が、２１０ｍｍ以上２９０ｍｍ以下である。幅方向の最大寸法が上記の範囲内のものであることにより、男性用吸収性物品１の装着時の違和感を一定程度以下に抑えつつ、男性用吸収性物品１の装着時に、装着者の運動に伴って排尿部位が移動したとしても、男性用吸収性物品１が、全ての移動部位を覆うことができ、尿漏れが生じることを有効に防止することができる。また、男性用吸収性物品１の長手方向の最大寸法が、上記の範囲内のものであることにより、尿漏れを効果的に防止しつつ、座位における股間部の圧迫感を効果的に低減することができる。また、本発明の男性用吸収性物品１では、厚みが２．５ｍｍ以上９．０ｍｍ以下であるように調整されているため、薄型化を実現することができる。
【００２３】
本発明の男性用吸収性物品１は、長手方向の対角線の長さに対する、幅方向の対角線の長さの比が０．５以上０．９以下であり、長手方向の対角線と幅方向の対角線の交点は長手方向の腹側部端部１１と股部側端部１２を１：４以上１：７以下の比に分割するように位置していることが好ましい。男性用吸収性物品１が、このような寸法を有することにより、男性用吸収性物品１が、男性の局部を効果的に包み込むことができるとともに、身体の運動に伴って、排尿位置が移動したとしても、腹側部Ａで尿を効果的に受け止めることができる。
【００２４】
［折り線］
本発明の男性用吸収性物品１は、二本の折り線１００により３つ折りにされて個別包装されるものである。ここで、二本の折り線１００は、幅方向に平行に延びるように設けられているものであることが好ましく、二本の折り線１００のうちの腹側部側の折り線は、腹側部端部１１から７０ｍｍ以上９０ｍｍ以下の位置に設けられていることが好ましく、二本の折り線１００のうちの股部側の折り線は、股部側端部１２から７０ｍｍ以上９０ｍｍ以下の位置に設けられていることが好ましい。折り線１００の位置を上記の範囲内のものとすることにより、男性用吸収性物品１をコンパクトに折り畳むことができるとともに、装着時の折り癖が、男性用吸収性物品１の下着への固定に与える影響をより低減することができる。
【００２５】
［トップシート］
トップシート２は、体液が吸収体４へと移動するような液透過性を備えた基材から形成すればよく、例えば、サーマルボンド不織布、スパンボンド不織布等の不織布、サーマルボンド／スパンボンドを積層した複合不織布、開口ポリエチレンフィルム等の開口性フィルム、ポリエチレンフォーム、ウレタンフォーム等の発泡フィルムや、これらを積層した複合シート等の材料から形成される。また、トップシート２には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート２には、ローション、酸化防止剤、抗炎症成分、ｐＨ調整剤、抗菌剤、保湿剤等を含有させてもよい。さらに、強度及び加工性の点から、トップシート２の坪量は、１８ｇ／ｍ２以上４０ｇ／ｍ２以下であることが好ましい。
【００２６】
なお、本発明においては、吸収体４の上面への体液の拡散を促進するため、トップシート２と吸収体４との間に、液拡散性シート６を設けてもよい。斯かる液拡散性シート６としては、例えば、エアスルー不織布、ポイントボンド不織布、スパンボンド不織布、メルトブロー不織布等の不織布や、スパンボンド／メルトブロー、スパンボンド／メルトブロー／スパンボンドを積層した複合不織布を挙げることができる。液拡散性シート６の厚さは０．１ｍｍ以上であることが好ましく、その坪量は１５ｇ／ｍ２以上であることが好ましい。
【００２７】
［立体ギャザー］
本発明の男性用吸収性物品１においては、男性の局部が男性用吸収性物品１の吸収エリアから外れないよう、トップシート２の身体側の幅方向両端部において、長手方向に沿って、立体ギャザー７を有する。ここで、幅方向両側に位置する２つの立体ギャザー７の身体側端部の間隔（図１中のＬ）は２５ｍｍ以上９０ｍｍ以下であることが好ましく、４０ｍｍ以上８０ｍｍ以下であることが更に好ましい。立体ギャザー７の身体側端部の間隔が上記の範囲内のものであることにより、男性の局部を効果的に吸収エリア内に収めつつ、男性の局部の全体を立体ギャザー７で覆うことができる。これにより、男性用吸収性物品１における尿漏れを効果的に防止することができる。
【００２８】
立体ギャザー７としては、疎水性繊維にて形成された撥水性又は不透液性のシート、例えば、スパンボンド不織布、メルトブロー不織布、ポリエチレンフィルムを用いることができ、選択した一種又は二種以上のシートを接合したものが使用される。また、立体ギャザー７の坪量は、加工性及び強度の点から、８ｇ／ｍ２以上２０ｇ／ｍ２以下であることが好ましい。立体ギャザー７の外側のシートはバックシート５に固定され、立体ギャザー７の内側のシートはトップシート２に固定され、トップシート２及びバックシート５に固定されない部分は身体側となるように、立体ギャザー７は、男性用吸収性物品１に配置される。
【００２９】
（伸縮弾性部材）
また、立体ギャザー７は、身体側及び基端側に少なくとも一本ずつの伸縮弾性部材を長手方向に沿って有することが好ましい。伸縮弾性部材を長手方向に沿って設けることで、立体ギャザー７が起立性を有し、装着者の体型に合わせて変形可能なものとなり、フィット性が向上する。伸縮弾性部材としては、例えば、ポリウレタン糸、帯状のポリウレタンフィルム、糸状又は帯状の天然ゴム等が使用される。なお、伸縮弾性部材の太さは、４７０ｄｔｅｘ以上１２４０ｄｔｅｘ以下であることが好ましい。
【００３０】
［バックシート］
バックシート５は、吸収体４が保持している体液が衣類を濡らさないような液不透過性を備えた基材を用いて形成すればよく、樹脂フィルムや、樹脂フィルムと不織布とを積層した複合シートといった材料から形成される。複合シートに用いられる不織布としては、製法を特に限定せず、例えば、スパンボンド不織布やメルトブロー不織布、あるいは、スパンボンド／メルトブロー、スパンボンド／メルトブロー／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。
【００３１】
強度及び加工性の点から、バックシート５の坪量は、１５ｇ／ｍ２以上４０ｇ／ｍ２以下であることが好ましい。また、装着時の蒸れを防止するため、バックシート５は、通気性を持たせることが好ましい。バックシート５に通気性を備えさせるためには、例えば、基材の樹脂フィルムにフィラーを配合したり、バックシート５にエンボス加工を施したりすればよい。なお、フィラーとしては炭酸カルシウムを挙げることができ、その配合方法は、公知の方法を制限なく行うことができる。
【００３２】
［吸収体］
吸収体４は、基材としての吸収性繊維と、高吸水性ポリマー（ＳＡＰ）と、を含有することが好ましい。なお、本発明の男性用吸収性物品１は、高い吸収量で、かつ薄型のものであって、吸収体４の総吸収量が７０ｇ以上９００ｇ以下であり、厚みが６ｍｍ以下であることが好ましい。総吸収量は、予め重量を測定しておいた吸収性物品を、２０リットルの０．９％、３７度の食塩水に５分間浸漬し、水切りした後の重量変化の値である。吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。
【００３３】
吸収体４の高吸水性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体４のＳＡＰ量は、吸収性能及び肌触りを損なわないよう、９０ｇ／ｍ２以上５００ｇ／ｍ２以下の坪量とすることが好ましく、３０質量％以上５０質量％以下の含有量とすることが好ましい。
【００３４】
吸収体４において、吸収性繊維及びＳＡＰの形態は、吸収性繊維中にＳＡＰ粒子を混合して形成したもの、あるいは、吸収性繊維間にＳＡＰ粒子を固着したＳＡＰシートとしたものであることが好ましい。また、ＳＡＰ粒子の漏洩防止や吸収体４の形状の安定化の目的から、吸収体４をキャリアシートに包むことが好ましい。キャリアシートの基材としては親水性を有するものであればよく、ティシュ、吸収紙、エアレイド不織布等の親水性不織布を挙げることができる。キャリアシートを複数備える場合は、キャリアシートの基材は同一のものであっても異なるものであってもよい。
【００３５】
（吸収体の寸法）
本発明の男性用吸収性物品１においては、股部側端部１２から腹側部端部１１に向けて、長手方向の総寸法の５０％の位置における、吸収体４の幅方向の寸法が１０ｃｍ以上１１ｃｍ以下であることが好ましく、長手方向の総寸法の２５％の位置における、吸収体４の幅方向の寸法が８ｃｍ以上９ｃｍ以下であることが好ましく、長手方向の総寸法の１０％の位置における、吸収体４の幅方向の寸法が６ｃｍ以上７ｃｍ以下であることが好ましい。吸収体４の幅方向の寸法を、上記の範囲内のものとすることにより、男性用吸収性物品１の装着時における、違和感を効果的に防止することができる。また、男性用吸収性物品１は地面に対して延直方向に位置する状態で保持される一方で、排泄された体液は主に下に向かい拡散する。吸収体４の幅方向の寸法を上記の範囲内のものとすることにより、そのような体液を効果的に吸収することができる。
【００３６】
［吸収性シート］
本発明の男性用吸収性物品１は、さらに、吸収性シート３を有していることが好ましい。吸収性シート３は、親水性不織布（上層親水性不織布及び下層親水性不織布）の間に高吸水性ポリマーを含む吸水層が挟持されたものである。吸収性シート３は、フラッフパルプ等の吸収性繊維を含んでいないため、所定以上の吸収量であっても厚みが薄く、これを用いることにより、男性用吸収性物品１を薄型化することができる。また、本発明において、男性用吸収性物品１は、二本の折り線１００により３つ折りにされるが、吸収性シート３を用いていることにより、通常の吸収体を使用した場合と比較し、３つ折りにしても折り癖がつきにくくなる傾向にあり、男性用吸収性物品１の下着への固定をより容易にすることができる。なお、吸収性シート３は、吸収体４とバックシート５の間に設けることが好ましい。
【００３７】
吸収性シート３が有する吸水層は、高吸水性ポリマー及びホットメルト接着剤を含んでいてもよく、このホットメルト接着剤によって、上記上層親水性不織布、吸水層、及び下層親水性不織布は、相互に接着されていることが好ましい。
【００３８】
吸収性シート３に使用される高吸水性ポリマーの中位粒子径は、１００μｍ以上６００μｍ以下が好ましく、２００μｍ以上５００μｍ以下がより好ましい。高吸水性ポリマーの中位粒子径を斯かる数値の範囲内のものとすることにより、流動性の悪い微粉末の使用を避けて、吸収性シート３の基本性能を高めつつも、吸収性シート３が堅くなることを防ぐとともに、ゴツゴツした感触を低減して、触感を改善することができる。
【００３９】
吸収性シート３が含有する高吸水性ポリマーの含有量は、要求される吸収性能に応じて適宜設定することができるが、１００ｇ／ｍ２以上１０００ｇ／ｍ２以下であることが好ましく、２００ｇ／ｍ２以上８００ｇ／ｍ２以下であることがより好ましい。高吸水性ポリマーの含有量を斯かる数値の範囲内のものとすることにより、十分な吸収性能を発揮できる上に、体液吸収後のさらさら感も保持され、かつ超薄型に成形可能で、柔らかく動きやすい装着感を有する吸収性シート３を提供することができる。
【００４０】
高吸水性ポリマーとしては、吸収体４に用いたものと同様のものを用いることができる。
【００４１】
親水性不織布と高吸水性ポリマーとの接着のために用いることができるホットメルト接着剤としては、融点が１００℃から１８０℃程度の、スチレン−ブタジエン−スチレン系共重合体、スチレン−イソプレン−スチレン系共重合体等の合成ゴム系接着剤、又はエチレン−酢酸ビニル共重合体等のオレフィン系接着剤等を使用することができる。ホットメルト接着剤の塗布方法としては、溶融状態のホットメルト接着剤をノズルから非接触式で塗布するカーテンコート法やスパイラル法、接触式で塗布するスロット法等、公知の方法を使用することができる。
【００４２】
本発明においては、上層親水性不織布、吸水層、及び下層親水性不織布をホットメルト接着剤によって一体化した吸収性シート３全体に熱エンボス加工を施すことが好ましい。これにより、吸収性シート３全体への体液の拡散の効率を高めることができ、吸収性シート３中での高吸水性ポリマーの固定が強化される。エンボス形状としては、直線、曲線、ドット状等、特に限定されず、またエンボスパターン形状も格子状、波状、エイコンパターン（どんぐりの連続形状）等、液体の拡散を効率よくするためのものが適宜選択される。
【００４３】
吸収性シート３を構成する上層親水性不織布、及び下層親水性不織布は、１０ｇ／ｍ２以上の、親水性材料から構成された不織布や、親水化処理がなされた不織布を制限なく使用できるが、少なくとも１枚は、親水性が高く、それ自身が保水して一時的に液体を保持するスパンレース不織布であることが好ましく、バックシート側に位置する下層親水性不織布がスパンレース不織布であることが更に好ましい。スパンレース不織布はレーヨンやコットンのセルロース系、及び合成繊維系等の不織布を使用することができ、その坪量は適宜選択できるものの、１０ｇ／ｍ２以上のものが好ましい。スパンレース不織布以外としては、ポリプロピレン、ポリエチレン、ポリエステル等の合成繊維系からなるエアスルー不織布、ポイントボンド不織布、スパンボンド不織布を使用することができる。本発明においては、特に液戻りの防止性能に優れるエアスルー不織布を使用することが好ましい。
【００４４】
［チャネルエンボス］
本発明の男性用吸収性物品１は、図１及び図２に示すように、二本の立体ギャザー７の身体側端部の間に、トップシート２から吸収体４にかけて、複数のチャネルエンボスを有する。このように、二本の立体ギャザー７の身体側端部の間に複数のチャネルエンボスを有することにより、適切な装着位置を把握しやすく、位置ずれや尿漏れを生じにくくすることができる。また、複数のチャネルエンボスを設けることにより、装着時に男性用吸収性物品１を屈曲しやすくすることで、フィット性を向上させ、尿漏れを生じにくくすることができる。なお、複数のチャネルエンボスは、プレス加工等の従来公知の方法により形成することができる。
【００４５】
また、複数のチャネルエンボスは、腹側部端部１１近傍に位置する第一のチャネルエンボス２１と、男性用吸収性物品１の長手方向中心線近傍であって、かつ、腹側部Ａに位置する第二のチャネルエンボス２２と、股部Ｂに位置する第三のチャネルエンボス２３と、に区分して形成されることが好ましい。このように、複数のチャネルエンボスが３つの領域に区分されることにより、３つに区分されたチャネルエンボスのそれぞれが、装着位置の把握、位置ずれ防止、尿漏れの防止に機能的に寄与し、より効果的に、装着位置を把握しやすく、位置ずれや尿漏れを生じにくくすることができる。
【００４６】
なお、各チャネルエンボスの太さは、１．０ｍｍ以上３．０ｍｍ以下であることが好ましい。各チャネルエンボスの太さを上記の範囲に調整することにより、チャネルエンボスを明確に把握でき、装着位置を容易に把握することができ、また、装着感を損なわずに、吸収体４への尿の拡散を向上させることができる。また、一つのチャネルエンボスは、連続的に形成されていてもよいし、点線状に形成されていてもよい。
【００４７】
（第一のチャネルエンボスと第二のチャネルエンボス）
複数のチャネルエンボスのうち、第一のチャネルエンボス２１は、腹側部端部１１近傍に位置するものであり、第二のチャネルエンボス２２は、男性用吸収性物品１の長手方向中心線近傍であって、かつ、腹側部Ａに位置するものである。第一のチャネルエンボス２１は、腹側部端部１１の外側に向けて凸となる略円弧形状であり、第二のチャネルエンボス２２は、幅方向中心線を境に略線対称となるチャネルエンボスから構成され、幅方向端部の外側に向けて凸となる、略円弧形状である。
【００４８】
上記の態様で、第一のチャネルエンボス２１と第二のチャネルエンボス２２を設けることにより、装着時において、略同心円上に位置する第一のチャネルエンボス２１と第二のチャネルエンボス２２の円心に、男性の局部の排尿部を視覚的に誘導することで、装着位置を容易に把握するができ、適切な位置に装着することで尿漏れを防止することができる。また、装着時に屈曲しやすくすることにより、フィット性を向上させ、排尿部へ密着しやすくなり、尿漏れを防止することができる。
【００４９】
また、第一のチャネルエンボス２１は、腹側部端部１１の外側に向けて凸となる略円弧形状となるため、トップシート２上における腹側部端部１１側への尿の拡散をせき止め、尿漏れを抑制することができる。また、第二のチャネルエンボス２２は、幅方向中心線を境に略線対称となるチャネルエンボスから構成され、幅方向端部の外側に向けて凸となる、略円弧形状であるため、立体ギャザー７と同様に、トップシート２上における幅方向への尿の拡散をせき止め、尿漏れを抑制することができ、また、吸収体４の長手方向への尿の拡散を向上させることができる。
【００５０】
また、第一のチャネルエンボス２１及び／又は第二のチャネルエンボス２２は、略同一形状の１以上３以下のチャネルエンボスがそれぞれ同心円上に隣接して構成され、隣接するチャネルエンボスの間隔が１０ｍｍ以上４０ｍｍ以下であることが好ましい。隣接するチャネルエンボスの数が多いほうが、トップシート２上における尿の拡散をより抑制することができるが、男性用吸収性物品１の寸法や二本の立体ギャザー７の身体側端部の間隔により、適宜選択することができる。
【００５１】
（第三のチャネルエンボス）
第三のチャネルエンボス２３は、複数のチャネルエンボスのうち、上記のとおり、股部Ｂに位置するものである。さらに、第三のチャネルエンボス２３は、長手方向中心線の近傍から股部側端部１２に向けて形成される略Ｕ字形状のチャネルエンボスと、当該略Ｕ字形状のチャネルエンボスの内方の股部側端部１２方向に位置し、股部側端部１２の外側に凸となる略円弧形状のチャネルエンボスと、を有することが好ましい。さらに、略Ｕ字形状のチャネルエンボスの幅方向両端部が、幅方向の端部に向けて凹となるように略円弧状に形成され、かつ、当該略円弧状部分の曲率半径が、第一のチャネルエンボス２１及び第二のチャネルエンボス２２の曲率半径よりも大きいことが好ましい。第三のチャネルエンボスの形状を上記のように調整することにより、装着時に股部及び足回りに男性用吸収性物品１が沿うように屈曲し、フィット感及び密着性が向上し、より効果的に漏れを抑制することができる。
【００５２】
上記の態様で、第三のチャネルエンボス２３を設けることにより、装着時に屈曲しやすくすることにより、フィット性を向上させ、排尿部へ密着しやすくなり、尿漏れを防止することができる。また、装着時に男性用吸収性物品１を挟んだ場合に、幅方向に狭くなるように屈曲し、足回りの異物感や座位時の圧迫感を軽減することができる。また、吸収体４への長手方向への尿の拡散を向上させることができる。さらに、トップシート２上における股部側端部１２への尿の拡散をせき止め、尿漏れを防止することができる。
【００５３】
また、複数のチャネルエンボスは、幅方向略中央部に設けられ、第二のチャネルエンボス２２同士の幅方向の最大離間距離が、男性用吸収性物品１の幅方向の最大寸法に対して、１５％以上５０％以下であり、複数のチャネルエンボス同士の長手方向の最大離間距離が、男性用吸収性物品の長手方向の最大寸法に対して、５０％以上７０％以下であることが好ましい。複数のチャネルエンボスの寸法・位置を、上記の範囲に調整することにより、上記した複数のチャネルエンボスの形状と相まって美粧性および視認性が向上する。特に、トイレで排尿する際に、下着をおろし、再度装着するときに男性の局部の位置を合わせやすい。また、複数のチャネルエンボスの寸法・位置を、上記の範囲に調整することにより、装着時に男性用吸収性物品１が屈曲したときのカーブが男性の局部を覆いやすくすることができる。第二のチャネルエンボス２２同士の幅方向の最大離間距離が、男性用吸収性物品１の幅方向の最大寸法に対して、１５％未満で、かつ、複数のチャネルエンボス同士の長手方向の最大離間距離が、男性用吸収性物品１の長手方向の最大寸法に対して７０％を超えると、男性用吸収性物品１は長手方向の中心で長手方向に折れやすく、尿が股部側端部１２の方向に流れやすくなる。
【００５４】
［粘着層］
本発明の男性用吸収性物品１は、バックシート５の衣類側表面に粘着層を有することが好ましい（図示しない）。粘着層は、男性用吸収性物品１を下着に確実に固定し、男性用吸収性物品１の位置ずれを防止する機能を発揮するものである。本発明の男性用吸収性物品１においては、バックシート５の衣類側表面には、複数の粘着層が設けられていることが好ましく、これらの複数の粘着層の全てが、二本の折り線１００のうちの少なくとも１本の折り線１００を跨ぐように設けられていることがより好ましい。本発明の好ましい態様においては、粘着層は、長手方向に平行に３列設けられており、中央の粘着層が、二本の折り線１００を跨ぐように設けられており、両端の２列の粘着層が、二本の折り線１００のうちの腹側部側の１本の折り線１００を跨いでいることが好ましい。男性用吸収性物品１は薄型のものである場合、折り線１００による折りじわが残りやすくなり、男性用吸収性物品１が下着から浮いて、これが、位置ずれの原因にもなるが、折り線１００を跨いで粘着層が設けられていることにより、男性用吸収性物品１を効果的に、下着に固定することができる。なお、通常、従来の男性用吸収性物品は、幅広のものではないため、幅方向両端部近傍に粘着層を設けることはない。本発明の男性用吸収性物品１においては、幅方向両端部近傍の２か所に粘着層を設けることにより、幅方向の全体に亘って男性用吸収性物品１を下着に固定することができる。
【００５５】
＜男性用吸収性物品の製造方法＞
男性用吸収性物品１の製造方法としては、吸収体４をトップシート２とバックシート５との間に挟持し、立体ギャザー７を設け、トップシート２とバックシート５とを一部又は全周に亘ってホットメルト接着剤やヒートエンボス、超音波エンボス、高周波エンボス等を用いて固定し、さらに、二本の立体ギャザー７の間に複数のチャネルエンボスをプレス加工で設けることにより製造することができる。
【００５６】
以上、本発明を、実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた発明も本発明の技術的範囲に含まれ得ることが、特許請求の範囲の記載から明らかである。
【実施例】
【００５７】
以下、本発明について、実施例を挙げて詳細に説明する。なお、本発明は、以下に示す実施例に何ら限定されるものではない。
【００５８】
［実施例１］
トップシートとして、エアスルー不織布（坪量２２ｇ／ｍ２）を用意し、トップシートの身体側の幅方向両端部において、長手方向に沿って、立体ギャザーを設けた。立体ギャザーシートしては、撥水性のスパンボンド不織布／メルトブロー不織布／スパンボンドをそれぞれ接合した複合シート（坪量１５ｇ／ｍ２）と、太さ９４０ｄｔｅｘの糸ゴムである伸縮弾性部材と、を有するものを用いた。なお、二本の立体ギャザーの身体側端部の間隔は５０ｍｍとした。
また、吸収性シートについて、上層親水性不織布として、エアスルー不織布（坪量６０ｇ／ｍ２）、下層親水性不織布として、スパンボンド不織布（坪量１５ｇ／ｍ２）を、両不織布の間に高吸水性ポリマー（坪量３８０ｇ／ｍ２）を含む吸水層を挟持した。なお、ホットメルト接着剤により、上記上層親水性不織布、吸水層、及び下層親水性不織布を、相互に接着した。
また、吸収体としては、フラッフパルプ（坪量３００ｇ／ｍ２）と高吸水性ポリマー（１３０ｇ／ｍ２）を混合し、キャリアシート（ティシュ、坪量１６ｇ／ｍ２）で全体を包んだものを用いた。
液拡散性シートとしては、エアスルー不織布（坪量２２ｇ／ｍ２）を用いた。
バックシートは、通気性ポリエチレンフィルム（坪量３２ｇ／ｍ２）を用い、バックシートの衣類側表面に粘着層を設けた。
その後、トップシート、液拡散性シート、吸収体、吸収性シート、バックシートの順で積層し、トップシートとバックシートとを全周に亘ってホットメルト接着剤を用いて固定し、さらに、二本の立体ギャザーの身体側端部の間に、トップシートから吸収体にかけて、複数のチャネルエンボスをプレス加工により形成し、長手方向の最大寸法が２５１ｍｍ、幅方向の最大寸法が１５７ｍｍ、厚みが４．５ｍｍの実施例１の略凧型形状の男性用吸収性物品１を得た。
【００５９】
ここで、実施例１の男性用吸収性物品に設けた複数のチャネルエンボスについて、詳細に説明する。複数のチャネルエンボスは、上記した、第一のチャネルエンボスと、第二のチャネルエンボスと、第三のチャネルンエンボスと、に区分して形成し、太さが２．０ｍｍとなるように形成した。第一のチャネルエンボスについては、２つのチャネルエンボスがそれぞれ同心円上に隣接して構成され、隣接するチャネルエンボスの間隔が１２ｍｍとなるように形成した。
【００６０】
［比較例１］
第三のチャネルエンボスを設けず、第二チャネルエンボス同士の最大離間距離が、二本の前記立体ギャザーの身体側端部の間隔を超えた点以外は、実施例１と同様に、比較例１の男性用吸収性物品を得た。
【００６１】
［比較例２］
複数のチャネルエンボスを設けなかった点以外は、実施例１と同様に、比較例２の男性用吸収性物品を得た。
【００６２】
［官能評価］
軽度の失禁症状があり、軽失禁製品の専用品を使用したことのない男性２０名のパネラーを対象に、実施例１、比較例１及び２の略凧型形状の男性用吸収性物品の装着評価を行った。装着時の位置決め容易性、フィット性（装着時の密着性、違和感の少なさ）、尿漏れのなさ（装着時の尿漏れによる下着、ズボンへのシミ発生の程度）について、以下の基準で評価を行い、結果を表１に示した。なお、装着者は各々のパッドを１日当たり１４時間、一週間装着し、日常動作における評価を行った。
【００６３】
（装着時の位置決め容易性）
「装着時の位置決めが容易である」又は「装着時の位置決めが容易でない」の選択で調査を行い、以下の基準により評価を行った。なお、◎及び○を合格とした。
◎：「装着時の位置決めが容易である」が１６人以上２０人以下のとき
○：「装着時の位置決めが容易である」が１１人以上１５人以下のとき
△：「装着時の位置決めが容易である」が６人以上１０人以下のとき
×：「装着時の位置決めが容易である」がいないか、１人以上５人以下のとき
【００６４】
（フィット性）
「フィット性がよい」または「フィット性が悪い」の選択で調査を行い、以下の基準により評価を行った。なお、◎及び○を合格とした。
◎：「フィット性がよい」が１６人以上２０人以下のとき
○：「フィット性がよい」が１１人以上１５人以下のとき
△：「フィット性がよい」が６人以上１０人以下のとき
×：「フィット性がよい」がいないか、１人以上５人以下のとき
【００６５】
（尿漏れのなさ）
「尿漏れがない」または「尿漏れがある」の選択で調査を行い、以下の基準により評価を行った。なお、◎及び○を合格とした。
◎：「尿漏れがない」が１６人以上２０人以下のとき
○：「尿漏れがない」が１１人以上１５人以下のとき
△：「尿漏れがない」が６人以上１０人以下のとき
×：「尿漏れがない」がいないか、１人以上５人以下のとき
【００６６】
【表１】
2019063118.tif 000003
【００６７】
実施例１については、第一のチャネルエンボス及び第二のチャネルエンボスにより、トイレで下着を再装着する際に、装着位置を把握しやすくなり、装着時の位置決めが容易であった。また、第三のチャネルエンボスにより、男性用吸収性物品が股に挟まれた際の幅方向の変形により身体にパッドが密着し、動作の違和感を抑えられ、フィット性が良好であった。さらに第一のチャネルエンボス及び第二のチャネルエンボスの誘導により、適切な位置に男性用吸収性物品が装着され、股部の密着性が得られることで尿漏れを抑制し、ズボンや下着への排尿後のシミの発生を抑えることができた。比較例１では、第二のチャネルエンボスが大きく、見た目のバランスも悪くなるとともに、第二のチャネルエンボスの一部が、二本の立体ギャザーに隠れてしまい、装着位置を把握しづらくなり装着時の位置決め容易性が、実施例１よりはやや劣り、第三のチャネルエンボスが設けられていないことから、フィット性が劣り、尿漏れを十分に抑制できるものではなかった。比較例２ではチャネルエンボスが設けられていないため、総じて実施例１よりも劣る結果であった。
【符号の説明】
【００６８】
Ａ      腹側部
Ｂ      股部
１      男性用吸収性物品
１１    腹側部端部
１２    股部側端部
２      トップシート
２１    第一のチャネルエンボス
２２    第二のチャネルエンボス
２３    第三のチャネルエンボス
３      吸収性シート
４      吸収体
５      バックシート
６      液拡散性シート
７      立体ギャザー
１００  折り線
【図１】
2019063118.tif 000004
【図２】
2019063118.tif 000005